(57)【特許請求の範囲】
【請求項１】
ティッシュペーパーを収容し、
座席に装着される座席カバーの背面部に着脱可能であって、
前記座席に装着された状態で、前記ティッシュペーパーを前記背面部と略垂直に取り出すことができるカバー部材の取付構造であって、
前記ティッシュペーパーを収容するカバー部材本体と、
前記カバー部材本体に取り付けられるベルト部材と、を有し、
前記カバー部材本体には、前記ティッシュペーパーを収容する収容口と、前記ティッシュペーパーを取り出す取出口と、前記ベルト部材を挿通するベルト通しが形成され、
前記ベルト部材の両端には連結部が設けられ、
前記カバー部材本体全周を取り巻くように前記ベルト部材を前記ベルト通しに挿通し、前記連結部を連結することで、前記ティッシュペーパーを保持すると共に、前記ベルト部材が前記座席カバーに設けられた係止部に係止されることを特徴とするカバー部材の取付構造。
【請求項２】
前記連結部が連結した状態で前記カバー部材の側面に位置することを特徴とする請求項１に記載のカバー部材の取付構造。
【発明の詳細な説明】
【技術分野】
【０００１】
本発明は、ティッシュペーパーのカバー部材に関するものであり、特に、自動四輪車の座席に装着可能なカバー部材の取付構造に関するものである。
【背景技術】
【０００２】
従来、自動四輪車の座席にティッシュボックスを保持する構成として特許文献１に記載されたティッシュボックスホルダが知られている。このティッシュボックスホルダは、座席の背面に取り付けられた合成樹脂製のサポートプレート及びワイヤステイでティッシュボックスの下側を保持するものである。
【０００３】
また、自動四輪車の座席にティッシュボックスを装着するものではないが、ティッシュボックスのカバーとして特許文献２に記載されたカバーが知られている。このカバーは、カバーの背面側上下左右に設けられた４つのベルトで椅子の背もたれなどの細い部分にカバーを保持するものである。
【先行技術文献】
【特許文献】
【０００４】
【特許文献１】特開平１１−２７８１５８号公報
【特許文献２】実用新案登録第３１３６２０４号公報
【発明の概要】
【発明が解決しようとする課題】
【０００５】
しかしながら、特許文献１のティッシュボックスホルダはティッシュボックスの外観の一部が露出しており、自動四輪車の車内のデザインや装飾と調和せず、自動四輪車全体としてのデザイン性を著しく低下させてしまう虞があった。
【０００６】
一方、特許文献２のカバーは布地で作製され、ティッシュボックスを覆っているが、自動四輪車の座席は特許文献２に記載された椅子のように背もたれに細い部分がないため、上下左右に設けられたベルトでカバーを座席に取り付けることが容易ではない。
【０００７】
そこで、本発明は以上の問題点を解決し、デザイン性に優れ、かつ、自動四輪車の座席に確実に装着することができるカバー部材の取付構造を提供することを目的とする。
【課題を解決するための手段】
【０００８】
請求項１に記載の発明に係るカバー部材の取付構造は、ティッシュペーパーを収容して座席に装着される座席カバーの背面部に着脱可能であって、前記座席に装着された状態で、前記ティッシュペーパーを前記背面部と略垂直に取り出すことができるカバー部材の取付構造であって、前記ティッシュペーパーを収容するカバー部材本体と、前記カバー部材本体に取り付けられるベルト部材と、を有し、前記カバー部材本体には、前記ティッシュペーパーを収容する収容口と、前記ティッシュペーパーを取り出す取出口と、前記ベルト部材を挿通するベルト通しが形成され、前記ベルト部材の両端には連結部が設けられ、前記カバー部材本体全周を取り巻くように前記ベルト部材を前記ベルト通しに挿通し、前記連結部を連結することで、前記ティッシュペーパーを保持すると共に、前記ベルト部材が前記座席カバーに設けられた係止部に係止されることを特徴とする。
【０００９】
請求項２に記載の発明に係るカバー部材の取付構造は、請求項１に記載の発明に係るカバー部材の取付構造において、前記連結部が連結した状態で前記カバー部材の側面に位置することを特徴とする。
【発明の効果】
【００１０】
請求項１に記載の発明によれば、ベルト部材がカバー本体全周を取り巻くように取り付けられているので、収容したティシュを保持すると共に、カバー部材を座席に装着することができる。また、カバー部材を座席カバーに確実に係止することができる。また、座席カバーに簡単な加工を加えるだけでカバー部材を座席に装着することができる。
【００１１】
請求項２に記載の発明によれば、ティシュの取出しの妨げとならない位置でベルト部材を連結することができる。
【図面の簡単な説明】
【００１２】
【図１】本発明の実施例１を示すカバー部材の正面図である。
【図２】同、カバー部材の背面図である。
【図３】同、カバー部材の左側面図である。
【図４】同、カバー部材の右側面図である。
【図５】同、カバー部材の平面図である。
【図６】同、カバー部材の底面図である。
【図７】同、カバー本体の展開図である。
【図８】同、カバー部材の底面側斜視図である。
【図９】同、座席シートに装着した状態のカバー部材の斜視図である。
【図１０】同、カバー部材を取り外した状態の座席の背面側斜視図である。
【発明を実施するための形態】
【００１３】
以下、本発明の実施例について、添付の図１〜図１０を参照して説明する。以下に説明
する実施例は、特許請求の範囲に記載された本発明の内容を限定するものではない。また、以下に説明される構成の全てが、本発明の必須要件であるとは限らない。なお、実施例のカバー部材において、図１の紙面手前を正面、奥を背面、上下左右をそれぞれ上下左右として説明する。
【実施例１】
【００１４】
図１〜図６において、１はカバー部材としてのティッシュボックス用カバーであって、このティッシュボックス用カバー１は、カバー部材本体としてのカバー本体２とベルト部材としての２本のベルト３Ａ，３Ｂから構成されている。
【００１５】
図７は、カバー本体２の内側を示す展開図である。カバー本体２は、綿等の柔らかい素材からなる織布を略矩形状に裁断した第１の織布体１１と第２の織布体１２と第３の織布体１３と第４の織布体１４から構成されている。
【００１６】
第１の織布体１１には、長手方向の側部である長手側部１５Ａ，１５Ｂが折り返されて縫い付けられた折返し部１６Ａ，１６Ｂが形成されている。また、第１の織布体１１の短手方向の側部である短手側部１５Ｃ，１５Ｄは、端部が解れないようにかがり縫いされている。
【００１７】
第２の織布体１２には、第１の織布体１１と同様に長手側部１７Ａ，１７Ｂが折り返されて縫い付けられた折返し部１８Ａ，１８Ｂが形成されている。また、第２の織布体１２の短手方向の側部である短手側部１７Ｃ，１７Ｄは、端部が解れないようにかがり縫いされている。第２の織布体１２は、第１の織布体と同一の大きさに形成されている。
【００１８】
第３の織布体１３には、第１の織布体１１及び第２の織布体１２よりも小さく、長手方向の側部の一方である長手側部１９Ａが折り返されて縫い付けられた折返し部２０が形成されている。他方の長手側部１９Ｂと短手方向の側部である短手側部１９Ｃ，１９Ｄは、端部が解れないようにかがり縫いされている。
【００１９】
第４の織布体１４には、第３の織布体１３と同様に長手方向の一方の側部のである長手側部２１Ａが折り返されて縫い付けられた折返し部２２が形成されている。また、他方の長手側部２１Ｂと短手方向の側部である短手側部２１Ｃ，２１Ｄは、端部が解れないようにかがり縫いされている。第４の織布体１４は、第３の織布体１３と同一の大きさに形成されている。
【００２０】
第１の織布体１１の長手側部１５Ａと第２の織布体１２の長手側部１７Ａは、長手方向の長さを合わせて当接した状態で、２箇所を糸２３で縫合されている。したがって、縫い合わされた２箇所の縫合部２４Ａと縫合部２４Ｂとの間は第１の織布体１１と第２の織布体１２とによってスリット状の取出口４が形成されている。
【００２１】
第１の織布体１１の短手側部１５Ｃと第２の織布体１２の短手側部１７Ｄの内側面の中央部には、第３の織布体１３の長手側部１９Ｂが縫い付けられている。また、第１の織布体１１の短手側部１５Ｄと第２の織布体１２の短手側部１７Ｃの内側面の中央部には、第４の織布体１４の長手側部２１Ｂが縫い付けられている。
【００２２】
第３の織布体１３の短手側部１９Ｃは、折り曲げ線Ｒで内側に折り曲げられた第１の織布体１１の短手側部１５Ｃに縫い付けられ、第３の織布体１３の短手側部１９Ｄは、折り曲げ線Ｌで内側に折り曲げられた第２の織布体１２の短手側部１７Ｄに縫い付けられている。また、第４の織布体１４の短手側部２１Ｄは、折り曲げ線Ｒで内側に折り曲げられた第１の織布体１１の短手側部１５Ｄに縫い付けられ、第４の織布体１４の短手側部２１Ｃ
は、折り曲げ線Ｌで内側に折り曲げられた第２の織布体１２の短手側部１７Ｃに縫い付けられている。
【００２３】
このように、カバー本体２は、第１の織布体１１と第２の織布体１２と第３の織布体１３と第４の織布体１４によって、図２に示すように内部が中空の略直方形状に形成されている。カバー本体２は、一般に市販されているティッシュボックス５を収納可能な大きさに形成され、開口した底面である収容口６からティッシュボックス５を出し入れ可能となっている。カバー本体２にティッシュボックス５を収容すると、ティッシュボックス５に形成されたティッシュペーパー７を取り出すティッシュ取出口（図示せず）がカバー本体２の取出口４の位置に配置され、取出口４からティッシュペーパー７を取り出すことができるようになっている。
【００２４】
図１に示すように、カバー本体２の正面である正面部３１の上側には、ベルト３Ａを挿通するための２つのベルト通し８Ａ，８Ｂが形成されている。また、正面部３１の下側にも同様に２つのベルト通し９Ａ，９Ｂが形成されている。このベルト通し８Ａ，８Ｂ，９Ａ，９Ｂは、カバー本体２と同一の素材で形成されている。ベルト通し８Ａ，８Ｂ，９Ａ，９Ｂは、短冊状に形成され、その両端部がカバー本体２の長手方向と平行にカバー本体２に縫着されている。したがって、ベルト通し８Ａ，８Ｂ，９Ａ，９Ｂは、ループ形状を有するため、ベルト３Ａ，３Ｂを左右方向に挿通することができる。ベルト通し８Ａ，８Ｂは縫合部２４Ａの上側に設けられ、ベルト通し９Ａ，９Ｂは縫合部２４Ｂの下側に設けられている。これらの位置は、カバー本体２のうちティッシュ７の取出しに影響を与えない位置であり、かつ、他の用途に使用されていない範囲であるため、ベルト通し８Ａ，８Ｂ，９Ａ，９Ｂを設けることによってこれらの範囲を有効に活用したものである。
【００２５】
上側のベルト通し８Ａ，８Ｂは、カバー本体２の正面部３１の短手方向の長さを略３等分するように配設され、ベルト通し８Ａ，８Ｂにベルト３Ａを挿通した状態では、ベルト３Ａが取出口４に重ならない位置に配置される。したがって、ベルト３Ａがベルト通し８Ａ，８Ｂに挿通された状態でも、ベルト３Ａがティッシュペーパー７の取出しを妨げないようになっている。ベルト通し９Ａ，９Ｂもベルト通し８Ａ，８Ｂと同様に、カバー本体２の正面部３１の短手方向の長さを略３等分するように配設され、ベルト通し９Ａ，９Ｂにベルト３Ｂを挿通した状態では、ベルト３Ｂが取出口４に重ならない位置に配置され、ベルト３Ｂがティッシュペーパー７の取出しを妨げないようになっている。
【００２６】
図３に示すように、カバー本体２の左側面部３２の上側には、２つのベルト通し８Ｃ，８Ｄが設けられており、下側にも同様に２つのベルト通し９Ｃ，９Ｄが設けられている。これらのベルト通し８Ｃ，８Ｄ，９Ｃ，９Ｄは正面部３１に形成されたベルト通し８Ａ，８Ｂ，９Ａ，９Ｂと同様のものである。
【００２７】
本実施例においては、正面部３１に上下各２つのベルト通し８Ａ，８Ｂ，９Ａ，９Ｂ、左側面部３２に上下各２つのベルト通し８Ｃ，８Ｄ，９Ｃ，９Ｄを設けているが、ティッシュボックス５の大きさ等を考慮して、その数は適宜変更可能であり、上下の数が異なっていてもよい。また、ベルト通し８Ａ，８Ｂ，８Ｃ，８Ｄ，９Ａ，９Ｂ，９Ｃ，９Ｄの間隔は等間隔に限らず任意に選択可能である。また、ベルト通し８Ａ，８Ｂ，８Ｃ，８Ｄ，９Ａ，９Ｂ，９Ｃ，９Ｄは、カバー本体２と異なる素材で形成してもよい。さらに、ベルト通し８Ａ，８Ｂ，８Ｃ，８Ｄ，９Ａ，９Ｂ，９Ｃ，９Ｄの上端又は下端のいずれか一方のみを縫着し、他方をボタン等で着脱可能としたり、上下両端を着脱可能としてもよい。
【００２８】
図５及び図６に示すように、カバー本体２の上面部３３及び下面部３４は平坦に形成されており、部材等は設けられていないが装飾等を施してもよい。
【００２９】
ベルト３Ａ，３Ｂは、合成皮革等により形成されており、カバー本体２よりも硬度が高く丈夫な素材で形成されている。図８に示すように、ベルト３Ａ，３Ｂは細長い帯状に形成されており、一端にはドットボタンの雌側であるボタン雌部２５Ａ，２５Ｂが取り付けてあり、他端にはドットボタンの雄側であるボタン雄部２６Ａ，２６Ｂが取り付けてある。したがって、ベルト３Ａ，３Ｂの両端はドットボタンにより係止可能となっている。なお、本実施例においてはドットボタンを使用しているが、ベルト３Ａ，３Ｂの両端を係止することができるものであればよく、例えば、面ファスナー等を用いてもよい。また、ベルト３Ａ，３Ｂの素材は任意に選択可能であり、当然、カバー本体２と同質としてもよい。
【００３０】
ベルト３Ａ，３Ｂの他端は、折り曲げて重ねた状態でカバー本体２の右側面部３３に縫着されている。またボタン雄部２６Ａ，２６Ｂは、カバー本体２の右側面部３３と折り曲げて重ねた状態のベルト３Ａ，３Ｂとを貫通して取り付けられている。
【００３１】
ベルト３Ａ，３Ｂは、右側面部３３から収容口６方向に巻回され左側面部３２に設けられたベルト通し８Ｃ，８Ｄ，９Ｃ，９Ｄに挿通され、正面部３１に設けられたベルト通し８Ａ，８Ｂ，９Ａ，９Ｂに挿通され、ベルト３Ａ，３Ｂの一端に取り付けられたボタン雌部２５Ａ，２５Ｂをベルト３Ａ，３Ｂの他端に取り付けられたボタン雄部２６Ａ，２６Ｂに係止することにより、カバー本体２の短手方向の全周を取り巻いている。この状態で、カバー本体２に収容されたティッシュボックス５はティッシュボックス用カバー１確実に保持される。また、意図せずドットボタンの係止が外れたような場合であっても、ベルト３Ａ，３Ｂがベルト通し８Ａ，８Ｂ，８Ｃ，８Ｄ，９Ａ，９Ｂ，９Ｃ，９Ｄに挿通されているため、ティッシュボックス５が自重によりカバー本体２から抜け落ちることを防止することができる。なお、ベルト３Ａ，３Ｂは、右側面部３３から正面部３１方向に巻回するように取り付けてもよい。この場合であっても、一方のドットボタンの係止が外れても他方のドットボタンが係止されているため、ティッシュボックス５が自重によりカバー本体２から抜け落ちることを防止できる。
【００３２】
ここで、図９及び図１０を参照しながらティッシュボックス用カバー１を装着する座席３６について説明する。本実施例の座席３６は、四輪自動車３７の助手席３９であるが、運転席３８であってもよい。本実施例の座席３６には布や革などにより形成された座席カバー４０が被着されている。
【００３３】
座席カバー４０の背面部４３には、ベルト３Ａ，３Ｂを挿通する係止部としての座席ベルト通し４１Ａ，４１Ｂ，４２Ａ，４２Ｂが縫着されている。上側に設けられた２つの座席ベルト通し４１Ａ，４１Ｂにはベルト３Ａが挿通され、下側に設けられた２つの座席ベルト通し４２Ａ，４２Ｂにはベルト３Ｂが挿通される。座席ベルト通し４１Ａ，４１Ｂ，４２Ａ，４２Ｂは、座席カバー４０と同一の素材により短冊状に形成され、その両端が助手席３９に対して上下となるように座席カバー４０に縫着されているためループ形状を有する。上側の２つの座席ベルト通し４１Ａ，４１Ｂは略同一の高さに縫着され、下側の２つの座席ベルト通し４２Ａ，４２Ｂは略同一の高さに縫着されている。
【００３４】
本実施例においては、ティッシュボックス用カバー１がカバー本体２の長手方向が上下となるように助手席３９に装着されているが、座席ベルト通し４１Ａ，４１Ｂ，４２Ａ，４２Ｂの縫着向きを９０°傾けて縫着することにより、カバー本体２の長手方向が左右となるように装着することが可能である。このように、ティッシュボックス用カバー１の取付けの向きは座席ベルト通し４１Ａ，４１Ｂ，４２Ａ，４２Ｂの縫着の向きによって任意に決定することができる。また、座席ベルト通し４１Ａ，４１Ｂ，４２Ａ，４２Ｂを縫着する位置を調節することによりティッシュボックス用カバー１を任意の位置に装着することができる。さらに、座席ベルト通し４１Ａ，４１Ｂ，４２Ａ，４２Ｂの数は適宜変更可
能であり、上下異なる数を設けてもよい。また、座席ベルト通し４１Ａ，４１Ｂ，４２Ａ，４２Ｂは座席カバー４０と異なる素材で形成してもよい。
【００３５】
次に、ティッシュボックス用カバー１の使用方法について説明する。まず、ティッシュボックス用カバー１の収容口６からティッシュボックス５を収容する。この時、ティッシュボックス５からティッシュペーパー７を取り出すティッシュ取出口（図示せず）をティッシュボックス用カバー１の取出口４の位置に合わせる。次に、ベルト３Ａを助手席３８に被着された座席カバー４０に設けられた座席ベルト通し４１Ａ，４１Ｂに挿通し、続いてティッシュボックス用カバー１に設けられたベルト通し８Ａ，８Ｂ，８Ｃ，８Ｄにベルト３Ａを挿通する。そしてベルト３Ａのボタン雄部２６Ａにボタン雌部２５Ａを係止する。すなわち、ベルト３Ａは、座席ベルト通し４１Ａ、座席ベルト通し４１Ｂ、ベルト通し８Ｄ、ベルト通し８Ｃ、ベルト通し８Ｂ、ベルト通し８Ａの順に挿通される。また、もう一方のベルト３Ｂも同様に座席ベルト通し４２Ａ、座席ベルト通し４２Ｂ、ベルト通し９Ｄ、ベルト通し９Ｃ、ベルト通し９Ｂ、ベルト通し９Ａの順に挿通し、ベルト３Ｂのボタン雄部２６Ｂにボタン雌部２５Ａを係止する。この状態で、ティッシュボックス用カバー１は、座席カバー４０ひいては助手席３８に装着され、ティッシュペーパー７を取出口４から助手席３８に対して略垂直、すなわち後方向に引き出すことができる。このように、ティッシュボックス用カバー１のベルト３Ａ，３Ｂを座席カバー４０の座席ベルト通し４１Ａ，４１Ｂ，４２Ａ，４２Ｂに挿通することによりティッシュボックス用カバー１を助手席３８に確実に装着することができる。
【００３６】
ティッシュボックス５の交換をする場合やティッシュボックス用カバー１を助手席３８から取り外す場合には、上記と逆の手順を行えばよい。なお、ティッシュボックス用カバー１を助手席３８に装着又は取り外しする際は、ベルト３Ａ，３Ｂのいずれから行ってもよい。
【００３７】
以上のように、本実施例のカバー部材１は、ティッシュボックス５に収容されたティッシュペーパー７を収容して座席としての助手席３８の背面部４３に装着可能であって、前記助手席３８に装着された状態で、前記ティッシュペーパー７を前記背面部４３と略垂直に取り出すことができるカバー部材としてのティッシュボックス用カバー１であって、前記ティッシュボックス用カバー１には前記ティッシュペーパー７を収容する収容口６と前記ティッシュペーパー７を取り出す取出口４が形成され、前記取出口４の端部側には前記カバー部材本体としてのカバー本体２全周を取り巻くようなベルト部材としてのベルト３Ａ，３Ｂが取り付けられることにより、ティッシュボックス５を収容した状態でティッシュボックス用カバー１を助手席３８の背面部４３に装着することができる。また、ティッシュ７の取出しを妨げることなくベルト３Ａ，３Ｂをカバー本体２全周に取り巻くことができる。また、ティッシュボックス５をティッシュボックス用カバー１で覆うことにより、ティッシュボックス５の外観が露出せず、ベルト３Ａ，３Ｂによってティッシュボックス用カバー１を助手席３８に装着するため、自動四輪車の車内のデザインや装飾と調和させることができる。
【００３８】
また、前記ベルト３Ａ，３Ｂの両端に連結部としてのボタン雌部２５Ａ，２５Ｂ及びボタン雄部２６Ａ，２６Ｂが設けられ、前記ボタン雌部２５Ａ，２５Ｂ及びボタン雄部２６Ａ，２６Ｂが連結した状態で前記ティッシュボックス用カバー１の側面としての右側面部３３に位置することにより、他に部材等が配置されていない右側面部３３にボタン雌部２５Ａ，２５Ｂ及びボタン雄部２６Ａ，２６Ｂが配置され、ティッシュボックス用カバー１の全体的なレイアウトをコンパクトにすることができる。
【００３９】
また、前記ベルト３Ａ，３Ｂが前記助手席３８に設けられた係止部としての座席ベルト通し４１Ａ，４１Ｂ，４２Ａ，４２Ｂに係止されることにより前記助手席３８に装着されるため、前記ベルト３Ａ，３Ｂを座席ベルト通し４１Ａ，４１Ｂ，４２Ａ，４２Ｂに挿通することにより、ティッシュボックス用カバー１を容易に助手席３８に装着することができる。
【００４０】
また、前記ベルト３Ａ，３Ｂが前記助手席３８に装着される座席カバー４０に設けられた係止部としての座席ベルト通し４１Ａ，４１Ｂ，４２Ａ，４２Ｂに係止されることにより前記助手席３８に装着されるため、前記ベルト３Ａ，３Ｂを座席ベルト通し４１Ａ，４１Ｂ，４２Ａ，４２Ｂに挿通することにより、ティッシュボックス用カバー１を容易に助手席３８に装着することができる。
【００４１】
なお、本発明は上記実施例に限定されるものではなく、本発明の要旨の範囲内において、種々の変形実施が可能である。例えば、ティッシュはボックス（紙箱）に収納されたものではなく、紙やビニール等の袋に収納されたものでもよいし、ティッシュをティッシュボックス用カバーに直接収容してもよい。
【符号の説明】
【００４２】
１  ティッシュボックス用カバー（カバー部材）
２  カバー本体（カバー部材本体）
３Ａ、３Ｂ  ベルト（ベルト部材）
４  取出口
６  収容口
７  ティッシュペーパー
８Ａ、８Ｂ、８Ｃ、８Ｄ  ベルト通し
９Ａ、９Ｂ、９Ｃ、９Ｄ  ベルト通し
２５Ａ、２５Ｂ  ボタン雌部（連結部）
２６Ａ、２６Ｂ  ボタン雄部（連結部）
３６  座席
４０  座席カバー
４１Ａ、４１Ｂ  座席ベルト通し（係止部）
４２Ａ、４２Ｂ  座席ベルト通し（係止部）
４３  背面部
【図１】
0006608710.tif 000002
【図２】
0006608710.tif 000003
【図３】
0006608710.tif 000004
【図４】
0006608710.tif 000005
【図５】
0006608710.tif 000006
【図６】
0006608710.tif 000007
【図７】
0006608710.tif 000008
【図８】
0006608710.tif 000009
【図９】
0006608710.tif 000010
【図１０】
0006608710.tif 000011